(57)【要約】【課題】使用者の成長に応じて、確実に人体を防護できると共に防寒効果を得ることが可能なウインタースポーツ用プロテクタを提供する。【解決手段】左右の肩口部１ｋ，１ｋに線状ファスナ２０の第１線状ファスナ半体２０ａを有し、かつ、腰部１ｆに面状ファスナ３０の第１面状ファスナ半体３０ａを有する腕無し上着型プロテクタ本体１と、第１線状ファスナ半体２０ａに着脱自在な第２線状ファスナ半体２０ｂを有する左右各々一揃えのサイズの異なる腕部２，２’，…と、第１面状ファスナ半体３０ａに着脱自在な第２面状ファスナ半体３０ｂを有する一揃えのサイズの異なる腰防護部材３，３’，…と、を具備する。【選択図】図１
0003149896.tif 000002
【実用新案登録請求の範囲】
【請求項１】
左右の肩口部（１ｋ）（１ｋ）に線状ファスナ（２０）の第１線状ファスナ半体（２０ａ）を有し、かつ、腰部（１ｆ）に面状ファスナ（３０）の第１面状ファスナ半体（３０ａ）を有する腕無し上着型プロテクタ本体（１）と、
上記第１線状ファスナ半体（２０ａ）に着脱自在な第２線状ファスナ半体（２０ｂ）を有する左右各々一揃えのサイズの異なる腕部（２）（２’）…と、
上記第１面状ファスナ半体（３０ａ）に着脱自在な第２面状ファスナ半体（３０ｂ）を有する一揃えのサイズの異なる腰防護部材（３）（３’）…と、
を具備することを特徴とするウインタースポーツ用プロテクタ。
【請求項２】
上記プロテクタ本体（１）の上記肩口部（１ｋ）に於て、上記第１線状ファスナ半体（２０ａ）を外と内から挟持状に包囲する外保護片部（１１）・内保護片部（１２）を設けた請求項１記載のウインタースポーツ用プロテクタ。
【請求項３】
上記線状ファスナ（２０）は、下方開口状横倒Ｃ字型に配設して、脇下通気開口部（５０）を形成した請求項１又は２記載のウインタースポーツ用プロテクタ。
【考案の詳細な説明】
【技術分野】
【０００１】
本考案は、ウインタースポーツ用プロテクタに関する。
【背景技術】
【０００２】
従来、スキーやスノーボード等のウインタースポーツ用プロテクタは、特許文献１の図２及び図４のように、長袖の上着に多数の緩衝材を設けたものが知られている。
【先行技術文献】
【特許文献】
【０００３】
【特許文献１】特開２００２−３０５０２号公報
【考案の概要】
【考案が解決しようとする課題】
【０００４】
このようなウインタースポーツ用プロテクタは、昨シーズンよりも使用者が成長したことにより袖等のサイズが小さく合わなくなっている場合であっても、使用する頻度が通常の衣類に比べて少なく、高価であるため、シーズン毎の買い換えが行なわれていないことがあった。つまり、使用者は、身長の伸び等の成長に対応しきれていない小さいサイズとなってしまったものを着用してプレイしていた。そして、サイズが小さいものを無理に着用することで、衝突や転倒等から人体を確実に防護できず危険であると共に、防寒効果が得られないという問題があった。
【０００５】
そこで、本考案は、使用者の成長に応じて、確実に人体を防護できると共に防寒効果を得ることが可能なウインタースポーツ用プロテクタの提供を目的とする。
【課題を解決するための手段】
【０００６】
そこで、本考案に係るウインタースポーツ用プロテクタは、左右の肩口部に線状ファスナの第１線状ファスナ半体を有し、かつ、腰部に面状ファスナの第１面状ファスナ半体を有する腕無し上着型プロテクタ本体と、上記第１線状ファスナ半体に着脱自在な第２線状ファスナ半体を有する左右各々一揃えのサイズの異なる腕部と、上記第１面状ファスナ半体に着脱自在な第２面状ファスナ半体を有する一揃えのサイズの異なる腰防護部材と、を具備するものである。
【０００７】
また、上記プロテクタ本体の上記肩口部に於て、上記第１線状ファスナ半体を外と内から挟持状に包囲する外保護片部・内保護片部を設けたものである。
また、上記線状ファスナは、下方開口状横倒Ｃ字型に配設して、脇下通気開口部を形成したものである。
【考案の効果】
【０００８】
本考案のウインタースポーツ用プロテクタによれば、使用者の身体の伸びといった成長の変化に柔軟に対応できる。成長に応じて腕部を交換でき、袖から必要以上に肌が露出するのを防止して確実に防寒できる。成長に応じて腰防護部材を交換でき、衝突や転倒の場合に確実に腰部を保護できると共に腰部を防寒できる。本来の防寒及び防護機能を損なわずに、成長期の子供であっても数年にわたって使用できる。言い換えると、使用者のシーズン毎の買い換えを軽減できる。
【図面の簡単な説明】
【０００９】
【図１】本考案の実施の形態を示す背面図である。
【図２】本考案の実施の形態を示す正面図である。
【図３】プロテクタ本体の背面図である。
【図４】図１のＡ−Ａ拡大断面図である。
【図５】図４のＢ−Ｂ拡大断面図である。
【図６】図１のＣ−Ｃ拡大断面図である。
【図７】サイズの異なる腰防護部材を取着した場合の作用説明図である。
【考案を実施するための形態】
【００１０】
図１及び図２に示すように、衝撃を吸収するための凸状の緩衝材８が複数配設された腕無し上着型のプロテクタ本体１と、プロテクタ本体１の肩口部１ｋに線状ファスナ２０を介して着脱自在に取着される腕部２と、プロテクタ本体１の腰部１ｆに面状ファスナ３０を介して着脱自在に取着される腰防護部材３と、を備えている。
【００１１】
プロテクタ本体１は、図３に示すように、ベスト型に形成され、左右の肩口部１ｋ，１ｋに線状ファスナ２０の第１線状ファスナ半体２０ａ，２０ａを有している。また、背面の腰部１ｆに面状ファスナ３０の第１面状ファスナ半体３０ａを縫着している。
【００１２】
腕部２は、図１及び図２に示すように、上腕基端部に第１線状ファスナ半体２０ａに着脱自在な第２線状ファスナ半体２０ｂを有している。上腕部や肘部等に緩衝材８を有している。
そして、腕部２はサイズの異なるものが複数ある。例えば、上腕頂部から裾先までの長さが、腕長さ寸法Ｌの腕部２と、異なる腕長さ寸法Ｌ’で形成された（別の）腕部２’とがある。腕部２と別の腕部２’は、サイズは異なるが、各々の第２線状ファスナ半体２０ｂは第１線状ファスナ半体２０ａに対応するように形成されている。つまり本考案のウインタースポーツ用プロテクタは、一揃えのサイズの異なる複数の腕部２，２’，…を備え、腕部２，（２’，…）を選択・交換自在に設けている。なお、図１及び図２では左手側は図示省略しているが、左右各々一揃えのサイズの異なる腕部２，２’，…がある。
【００１３】
腰防護部材３は、図６に示すように、一方面側に第１面状ファスナ半体３０ａに着脱自在な第２面状ファスナ半体３０ｂを縫着している。そして、腰防護部材３は、サイズの異なるものが複数ある。例えば、上下方向の長さが上下長さ寸法Ｓの腰防護部材３と、異なる上下長さ寸法Ｓ’の（別の）腰防護部材３’がある。具体的には、長さ寸法Ｓの腰防護部材３に比べ、別の腰防護部材３’は、上下方向の長さが５ｃｍ程長く設定されている。腰防護部材３と別の腰防護部材３’は、サイズは異なるが、各々の第２面状ファスナ半体３０ｂは第１面状ファスナ半体３０ａに対応するように形成されている。つまり、本考案のウインタースポーツ用プロテクタは、一揃えのサイズ異なる複数の腰防護部材３を備え、腰防護部材３，３’，…を選択・交換自在に設けている。
【００１４】
また、腰防護部材３は、緩衝材８を有している。背骨に沿って複数の凸状の緩衝材８を配設したような場合では、上下長さ寸法Ｓの腰防護部材３に比べて、別の腰防護部材３’は、長いため凸状の緩衝材８を多く（長く）配設している。
【００１５】
さらに、プロテクタ本体１は、図４及び図５に示すように、肩口部１ｋに於て、第１線状ファスナ半体２０ａを、外と内から挟持状に包囲する外保護片部１１・内保護片部１２を設けている。
外保護片部１１及び内保護片部１２は、揺動して腕部２（２’）側が内側方向と外側方向に開くような横断面視蝶番状に、プロテクタ本体１の肩口部１ｋに縫着されている。第１線状ファスナ半体２０ａよりも左右外方に突設している。言い換えると、第１線状ファスナ半体２０ａを、外保護片部１１・内保護片部１２の間かつ揺動開口部よりも縫着側寄りの奥部に配設している。
【００１６】
さらに、外保護片部１１及び内保護片部１２は、第１線状ファスナ半体２０ａに係合（取着）した第２線状ファスナ半体２０ｂを外と内から挟持状に包囲する長さに左右の外方向に突出している。即ち、線状ファスナ２０を外と内から挟持状に包囲している。なお、内とは装着状態で使用者の身体側の方向を言う。
【００１７】
また、線状ファスナ２０及び外保護片部１１・内保護片部１２は、図４に示すように、下方開口状横倒Ｃ字型に配設している。脇下に、運動によって発生した熱や蒸れを外気に放出すると共に外気が流入可能な脇下通気開口部５０を形成している。
脇下通気開口部５０は、線状ファスナ２０及び外保護片部１１・内保護片部１２を肩Ｋから脇下を通過して円環状に形成した場合の円周長さを１００％とすると５〜２０％開口したように設けている。言い換えると、線状ファスナ２０及び外保護片部１１・内保護片部１２を、８０〜９５％の下方開口状横倒Ｃ字型に形成している。
【００１８】
上述した実施の形態の使用法（作用）について説明する。
図１及び図２に示すように、プロテクタ本体１の第１線状ファスナ半体２０ａに腕部２の第２線状ファスナ半体２０ｂを取着させると共に、第１面状ファスナ半体３０ａに腰防護部材３の第２面状ファスナ半体３０ｂを取着させる。
【００１９】
腕部２及び腰防護部材３は、使用者（装着者）を衝突や転倒による衝撃から保護すると共に、寒さを防ぐ。しかし、使用者の身長が伸びる等成長すると、防護及び防寒ができない虞れがある。具体的には、使用者の腕の伸びによって、必要以上に手首近傍の肌が露出することや、肘等が緩衝材８と対応しないことがある。また、背中の腰Ｆの下側が腰防護部材３によって保護できない場合がある。
【００２０】
そこで、使用者に、一揃えの腕部２，２’，…の中から使用者の成長に対応するものを選択させ、成長する前に取着していた腕部２を取り外させ、成長に応じた別の腕部２’に交換させる。交換した腕部２’によって使用者は、本来の防護及び防寒効果を得る。
【００２１】
さらに、一揃えの腰防護部材３，３’，…の中から使用者の成長に対応するものを選択させ、使用者が成長する前に取着していた腰防護部材３を取り外させ、成長に応じた別の腰防護部材３’に交換させる。
図６に示すように成長する前に取着していた腰防護部材３よりも、図７に示すように別の腰防護部材３’を取着することで、保護する範囲が下方に延設され、使用者の腰Ｆが伸びても本来の防護及び防寒効果を得る。例えば、腰防護部材３が５ｃｍ延設されれば、使用者の身長が１０ｃｍの伸びた場合であっても十分に対応可能である。
【００２２】
また、外保護片部１１・内保護片部１２によって、線状ファスナ２０が露出せず、接触した他者や他者の衣類を傷つけるのを防止すると共に使用者の肩Ｋやインナー衣類を傷つけるのを防止する。また、蝶番状となっているので、第１線状ファスナ半体２０ａ縫着寄りの奥部にあっても、外保護片部１１・内保護片部１２が揺動して開き、容易に第２線状ファスナ半体２０ｂの着脱可能にする。
【００２３】
また、脇下通気開口部５０は、運動によって蒸れたプロテクタ本体１及び腕部２の内部に外気を取り入れると共に蒸れ等の熱を放出して、その内部を快適にする。
【００２４】
なお、本考案は、設計変更可能であって、例えば、図示省略するが、腰防護部材３の緩衝材８が１つの凸状に形成されても良い。その場合の別の腰防護部材３’はその１つの凸状緩衝材８の上下方向の長さ寸法を変化させる。または、凸状の緩衝材８を上下方向に追加するように設けても良い。
【００２５】
以上のように、本考案は、左右の肩口部１ｋ，１ｋに線状ファスナ２０の第１線状ファスナ半体２０ａを有し、かつ、腰部１ｆに面状ファスナ３０の第１面状ファスナ半体３０ａを有する腕無し上着型プロテクタ本体１と、第１線状ファスナ半体２０ａに着脱自在な第２線状ファスナ半体２０ｂを有する左右各々一揃えのサイズの異なる腕部２，２’，…と、第１面状ファスナ半体３０ａに着脱自在な第２面状ファスナ半体３０ｂを有する一揃えのサイズの異なる腰防護部材３，３’，…と、を具備するので、使用者の身体の伸びといった成長の変化に柔軟に対応できる。成長に応じて腕部２，２’，…を選択交換でき、袖から必要以上に手首よりも上腕寄りの肌が露出するのを防止して確実に防寒できる。また、使用者の肘等と緩衝材８が適切に対応する状態となって確実に防護効果を得ることができる。成長に応じて腰防護部材３，３’，…を選択交換でき、衝突や転倒の場合に確実に腰部Ｆを保護できると共に防寒できる。成長期の子供であっても防寒及び防護機能を損なわずに、数年にわたって使用できる。また、兄弟等家族や友人等と共用して使用できる。シーズン毎の買い換えの必要がなく使用者の経済的負担を軽減できる。また、サイズが合わなくなることを気にして買い控えしていた購買者予備軍の購買意欲を高めることができる。
【００２６】
また、プロテクタ本体１の肩口部１ｋに於て、第１線状ファスナ半体２０ａを外と内から挟持状に包囲する外保護片部１１・内保護片部１２を設けたので、衝突や転倒の際に、線状ファスナ２０（第１線状ファスナ半体２０ａ及び第２線状ファスナ半体２０ｂ）によって、接触した他者や他者の衣類を傷つけるのを防止できる。使用者の肩やインナー衣類を傷つけるのを防止できる。激しい運動であっても線状ファスナ２０によってインナー衣類の擦れや破れを防止できる。線状ファスナ２０を露出させず美観やデザイン性が損なわれるのを防止できる。
【００２７】
また、線状ファスナ２０は、下方開口状横倒Ｃ字型に配設して、脇下通気開口部５０を形成したので、激しい運動中に内部が蒸れたりしても、外気を取り入れると共に蒸れ等の熱を放出し、快適にプレイできる。腕の振り上げ等の運動の際に、腕部２がプロテクタ本体１側に引っ張られるような違和感を軽減しプレイに集中させることができる。
【符号の説明】
【００２８】
１  プロテクタ本体
１ｋ  肩口部
１ｆ  腰部
２，２’  腕部
３，３’  腰防護部材
１１  外保護片部
１２  内保護片部
２０  線状ファスナ
２０ａ  第１線状ファスナ半体
２０ｂ  第２線状ファスナ半体
３０  面状ファスナ
３０ａ  第１面状ファスナ半体
３０ｂ  第２面状ファスナ半体
【図１】
0003149896.tif 000003
【図２】
0003149896.tif 000004
【図３】
0003149896.tif 000005
【図４】
0003149896.tif 000006
【図５】
0003149896.tif 000007
【図６】
0003149896.tif 000008
【図７】
0003149896.tif 000009